(57)【特許請求の範囲】
【請求項１】
底面に気泡を吹き出すノズル部を複数箇所備える気泡浴槽装置において、各ノズル部がきめの粗い気泡を噴射するマッサージ気泡ノズルときめの細かい気泡を噴射するリラックス気泡ノズルを備え、送気手段、エアー配管を介して送られてくるエアーを前記ノズル部に供給するメイン配管が、第１メイン配管と第２メイン配管とが並列で、かつ、各ノズル部を結ぶよう閉じた環状に形成され、各ノズル部のマッサージ気泡ノズルには一方のメイン配管の一部から分岐した分岐管とそれぞれ直結され、リラックス気泡ノズルには他方のメイン配管の一部から分岐した分岐管とそれぞれ直結されていることを特徴とする気泡浴槽装置。
【発明の詳細な説明】
【０００１】
【産業上の利用分野】
本発明は、気泡浴槽装置に関する。
【０００２】
【従来の技術】
浴槽底面から気泡を発生させ、この気泡の割れる時に発生する超音波などによって、皮膚を活性化させたり、皮膚の汚れを除去したりすることができる気泡浴槽装置としては、たとえば、実開平１−１７７５８４号公報に示すようなものがある。
【０００３】
図５に示すように、この気泡浴槽装置１００は、浴槽１０１の長手方向に等ピッチで５基ずつ２列に並んだ計１０基のノズル１０２を浴槽１０１の底面１０１ａに備えている。  浴槽１０１の幅方向に並ぶノズル１０２，１０２は、浴槽１０１の裏面側でそれぞれ一本の分岐管１０３に接続されている。そして、各分岐管１０３は、メイン配管１０４から分岐された枝管１０４ａを介してメイン配管１０４と接続されている。
【０００４】
メイン配管１０４は、送気手段としてのエアポンプ（図示せず）からのエアー配管１０５を介してエアポンプからのエアーが供給されるようになっている。
すなわち、この気泡浴槽装置１００は、浴槽１０１に湯を張り、エアポンプからのエアーがエアー配管１０５に供給されると、エアーが、エアー配管１０５、メイン配管１０４、枝管１０４ａ、分岐管１０３の順で各ノズル１０２まで送られ、各ノズル１０２から気泡となって浴槽１０１内へ噴射されるようになっている。
【０００５】
【発明が解決しようとする課題】
しかし、上記従来の気泡浴槽装置１００は、上記したように、エアー配管１０５に供給されたエアーをメイン配管１０４、枝管１０４ａ、分岐管１０３とつぎつぎに分岐してゆき、ノズル１０２に供給するようになっているので、構造が複雑で、組み立て性が非常に悪いとともに、ノズル１０２までの配管経路の長さと曲がり部の数等がノズル１０２毎に異なるため、圧損等の関係で、各ノズル１０２に供給されるエアー量に違いが生じ、全てのノズル１０２から均一な噴射量の気泡を噴射することができないと言う問題がある。
【０００６】
本発明は、このような事情に鑑みて、配管の組み立て性が良好で、かつ、各ノズルへのエアー供給量を均一にすることができる気泡浴槽装置を提供することを目的としている。
【０００７】
【課題を解決するための手段】
本発明にかかる気泡浴槽装置は、このような目的を達成するために、底面に気泡を吹き出すノズル部を複数箇所備える気泡浴槽装置において、各ノズル部がきめの粗い気泡を噴射するマッサージ気泡ノズルときめの細かい気泡を噴射するリラックス気泡ノズルを備え、送気手段、エアー配管を介して送られてくるエアーを前記ノズル部に供給するメイン配管が、第１メイン配管と第２メイン配管とが並列で、かつ、各ノズル部を結ぶよう閉じた環状に形成され、各ノズル部のマッサージ気泡ノズルには一方のメイン配管の一部から分岐した分岐管とそれぞれ直結され、リラックス気泡ノズルには他方のメイン配管の一部から分岐した分岐管とそれぞれ直結されている構成とした。
【０００８】
上記構成において、メイン配管としては、特に限定されないが、ビニルホースやゴムホース等の可撓性のものを用いることが好ましい。
また、メイン配管と分岐管との分岐部には、特に限定されないが、チーズが一般的に使用される。
送気手段としては、特に限定されないが、たとえば、エアーポンプ、ブロアー、コンプレッサー等が挙げれる。
【０００９】
【作用】
上記構成によれば、閉じた環状に形成されたメイン配管の一箇所にエアー配管を接続する。エアー配管を介してメイン配管へ供給されたエアーは、メイン配管に接続された分岐管を介して各ノズル部に供給されるが、メイン配管が閉じた環状に形成されており、ヘッダー管の働きをするため、各分岐管への供給エアー圧は略均等化される。
【００１０】
また、メイン配管が閉じた環状に形成され、ノズル部の部分だけ分岐させるだけでよいため、分岐箇所が少なくて済む。
【００１１】
【実施例】
以下に、本発明を、その実施例をあらわす図面を参照しつつ詳しく説明する。図１は本発明にかかる気泡浴槽装置の１実施例であって、その浴槽を底側から見た図である。図２は図１の気泡浴槽装置のノズル部を断面で見てあらわし、図３は図１の気泡浴槽装置のエアー配管の概略をあらわしている。
【００１２】
図１に示すように、この気泡浴槽装置１は、浴槽２の底面にノズル部３が１０箇所設けられている。
各ノズル部３は、図２に示すように、きめの粗い気泡を噴射するマッサージ気泡ノズル３１と、きめの細かい気泡を噴射するリラックス気泡ノズル３２とを備えている。
【００１３】
マッサージ気泡ノズル３１は、エアー供給口３１ａと、エアー噴射口３１ｂとを備え、エアー噴射口３１ｂが、直径１０mmの大きさをしていて、ばね３１ｃで常に下方へ付勢された逆止弁３１ｄを介して封鎖さている。すなわち、逆止弁３１ｄは、ばね３１ｃの付勢力以上の圧力のエアーがエアー供給口３１ａから供給されない限り、エアー噴射口３１ｂを開放しないようになっている。
【００１４】
リラックス気泡ノズル３２は、エアー供給口３２ａとエアー噴射口３２ｂとを備え、エアー噴射口３２ｂが下方に図３に示すように逆止弁３２ｄを設けた多孔質板（樹脂焼結板）３２ｃで覆われている。なお、多孔質板３２ｃは空孔径が２００μｍ以下のものが用いられている。
また、この気泡浴槽装置１は、第１メイン配管４および第２メイン配管５が浴槽２の底面に沿って設けられている。
【００１５】
第１メイン配管４および第２メイン配管５は、図１に示すように、すべてのノズル部３を結ぶように閉じた環状に形成されているとともに、図３に示すように、エアーポンプ６に接続されたエアー配管７ａ，７ｂとそれぞれ一箇所で接続されている。
また、第１メイン配管４および第２メイン配管５は、図４に示すように各ノズル部３のところでマッサージ気泡ノズル３１のエアー供給口３１ａまたはリラックス気泡ノズル３２のエアー供給口３２ａに接続される分岐管７とチーズ８によって接続されている。
【００１６】
エアー配管７ａ，７ｂには、図３に示すように、途中に電磁弁７１ａ，７１ｂがそれぞれ設けられている。電磁弁７１ａ，７１ｂは、リモコン装置９を操作することより開閉してマッサージ気泡ノズル３１またはリラックス気泡ノズル３２へのエアーの供給をオンオフできるようになっている。
なお、図２中、３３はパッキン、３４と３５はナットである。
【００１７】
この気泡浴槽装置１は、上記のようになっており、リモコン９を操作しエアーポンプ６を可動させるとともに、電磁弁７１ａを開放すれば、第１メイン配管４にエアーが供給され、そのエアー圧によって逆止弁３１ｄが開放され、エアー噴射口３１ｂからきめの粗い気泡が噴射される。一方、電磁弁７１ｂを開放すれば、第２メイン配管５にエアーが供給され、そのエアー圧によって逆止弁３２ｄが開放され、エアー噴射口３２ｂを覆う多孔質板３２ｃからきめの細かいリラックス気泡が噴射される。
【００１８】
しかも、第１メイン配管４および第２メイン配管５がいずれも閉じた環状に形成されていて、各ノズル３１（３２）がそれぞれ第１メイン配管４または第２メイン配管５に直結されているので、各ノズル３１（３２）へ供給されるエアー圧が一定になる。したがって、各ノズル３１（３２）からの気泡の噴射量が均一になる。
さらに、第１メイン配管４および第２メイン配管５をビニルホースやゴムホース等の可撓性パイプで簡単に配管でき、組み立て作業性も向上する。
【００１９】
【発明の効果】
本発明にかかる気泡浴槽装置は、以上のように構成されているので、各ノズルから噴射される気泡の噴射量が均一になるとともに、配管の組み立て施工性に優れている。
【図面の簡単な説明】
【図１】本発明にかかる気泡浴槽装置の１実施例をあらわす底面図である。
【図２】図１の気泡浴槽装置のノズル部の断面図である。
【図３】図１の気泡浴槽装置の配管概略図である。
【図４】図１の気泡浴槽装置のメイン配管と分岐管との接続部をあらわす断面図である。
【図５】従来の気泡浴槽装置の底面図である。
【符号の説明】
１  気泡浴槽装置
２  浴槽
４  第１メイン配管
５  第２メイン配管
６  エアーポンプ（送気手段）
７  分岐管
３１  マッサージ気泡ノズル
３２  リラックス気泡ノズル
７ａ  エアー配管
７ｂ  エアー配管
【図１】
0003618780.tif 000002
【図２】
0003618780.tif 000003
【図３】
0003618780.tif 000004
【図４】
0003618780.tif 000005
【図５】
0003618780.tif 000006